(57)【特許請求の範囲】
【請求項１】
他の装置から印刷ジョブを受信して、複数個の給紙トレイのいずれかから取出した用紙に画像を印刷する印刷出力装置であって、
印刷ジョブは、前記複数個の給紙トレイのいずれかを指定する、当該印刷出力装置に対応した給紙トレイ指定命令を含み、
前記印刷出力装置は、
印刷ジョブを受信したことに応答して、当該印刷ジョブに含まれる給紙トレイ指定命令により指定される給紙トレイ名を、前記複数個の給紙トレイのいずれかを示す変換後トレイ名に変換するための給紙トレイ名変換手段と、
前記複数個の給紙トレイの中から、前記変換後トレイ名に対応する給紙トレイを使用して、前記給紙トレイ名変換手段によって受信された印刷ジョブに基づいて形成された画像を印刷するための画像形成手段と、
利用者に印刷ジョブの属性のいずれかを選択させるための選択手段とを含み、
前記給紙トレイ名変換手段は、
印刷ジョブに含まれる給紙トレイ指定命令により指定される給紙トレイ名と、前記複数個の給紙トレイのうち、当該指定される給紙トレイ名に対して予め設定される所望の給紙トレイ名とを対応付けて記憶するためのトレイ名変換テーブルを記憶するための記憶手段と、
印刷ジョブを受信したことに応答して、当該給紙トレイ指定命令により指定される給紙トレイ名に対応する前記所望の給紙トレイ名を前記トレイ名変換テーブルから読出し、前記変換後トレイ名として出力するためのテーブル読出し手段とを含み、
前記トレイ名変換テーブルは、印刷ジョブの種類ごとに設けられており、
前記テーブル読出し手段は、
印刷ジョブを受信したことに応答して、当該印刷ジョブの属性を解析し、当該印刷ジョブの種類を判別するための判別手段と、
前記判別手段によって判別された種類に対して設けられている前記トレイ名変換テーブルから、前記受信された印刷ジョブの給紙トレイ指定命令により指定される給紙トレイ名に対応する前記所望の給紙トレイ名を読出し、前記変換後トレイ名として出力するための手段とを含み、
前記判別手段は、印刷ジョブを受信したことに応答して、当該印刷ジョブの属性のうち前記選択手段により選択された属性の値から、印刷ジョブの種類を判別するための手段を含む、印刷出力装置。
【請求項２】
前記記憶手段によって記憶された前記トレイ名変換テーブルは、印刷ジョブに含まれる給紙トレイ指定命令により指定されるある給紙トレイ名に対して、前記複数個の給紙トレイのいずれも対応付けずに記憶している場合があり、
前記出力するための手段は、
印刷ジョブを受信したことに応答して、当該印刷ジョブに含まれる給紙トレイ指定命令により指定される給紙トレイ名に対応する所望の給紙トレイ名が、前記判別手段によって判別された種類に対して設けられている前記トレイ名変換テーブルに記憶されているか否かに応じて、当該給紙トレイ指定命令により指定される給紙トレイ名に対応する所望の給紙トレイ名と、当該給紙トレイ指定命令により指定される給紙トレイ名とを前記変換後トレイ名として選択的に出力するための手段を含む、請求項１に記載の印刷出力装置。
【請求項３】
前記記憶手段によって記憶された前記トレイ名変換テーブルは、印刷ジョブに含まれる給紙トレイ指定命令により指定されるある給紙トレイ名に対して、当該印刷ジョブに含まれる画像生成用情報に適切な給紙トレイを自動で検索することを指示するための自動給紙指示を対応付けて記憶している場合があり、
前記出力するための手段は、印刷ジョブを受信したことに応答して、当該印刷ジョブに含まれる給紙トレイ指定命令により指定される給紙トレイ名に対応するものが自動給紙指示でないか否かに応じて、前記判別手段によって判別された種類に対して設けられている前記トレイ名変換テーブルにおいて当該給紙トレイ指定命令により指定される給紙トレイ名に対応する所望の給紙トレイ名を前記変換後トレイ名として出力するか、又は、当該印刷ジョブに含まれる画像生成用情報に対し適切な給紙トレイを前記複数個の給紙トレイから検索し、検索した給紙トレイのトレイ名を前記変換後トレイ名として出力するための手段を含む、請求項１に記載の印刷出力装置。
【請求項４】
印刷ジョブに含まれる給紙トレイ指定命令は、当該印刷ジョブに含まれる画像生成用情報に適切な給紙トレイを自動で検索させるための自動給紙命令である場合があり、
前記記憶手段によって記憶された前記トレイ名変換テーブルはさらに、印刷ジョブに含まれる自動給紙命令と、前記複数個の給紙トレイのうち、当該自動給紙命令に対して予め設定される所望の給紙トレイ名とを対応付けて記憶しており、
前記出力するための手段は、印刷ジョブを受信したことに応答して、当該印刷ジョブに含まれる給紙トレイ指定命令が自動給紙命令であるか否かに応じて、前記判別手段によって判別された種類に対して設けられている前記トレイ名変換テーブルにおいて当該自動給紙命令に対応する所望の給紙トレイ名と、当該印刷ジョブに含まれる給紙トレイ指定命令により指定される給紙トレイ名に対応する所望の給紙トレイ名とを前記変換後トレイ名として選択的に出力するための手段を含む、請求項１に記載の印刷出力装置。
【請求項５】
前記印刷出力装置は、サーバ装置に接続されて用いられるものであり、
前記印刷出力装置はさらに、前記サーバ装置と通信可能であり、印刷ジョブに含まれる給紙トレイ指定命令により指定される給紙トレイ名と、前記複数個の給紙トレイのうち、当該指定される給紙トレイ名に対して予め設定される所望の給紙トレイ名とを対応付けて記憶するためのトレイ名変換テーブルを、前記サーバ装置から受信する受信手段を含み、
前記記憶手段は、前記受信手段が前記サーバ装置からトレイ名変換テーブルを受信したことに応答して、当該トレイ名変換テーブルを記憶するための手段を含む、請求項１に記載の印刷出力装置。
【請求項６】
前記印刷出力装置は、端末装置に接続されて用いられるものであり、
前記印刷出力装置はさらに、前記端末装置と通信可能であり、印刷ジョブに含まれる給紙トレイ指定命令により指定される給紙トレイ名と、前記複数個の給紙トレイのうち、当該指定される給紙トレイ名に対して予め設定される所望の給紙トレイ名とを対応付けて記憶するためのトレイ名変換テーブルを、前記端末装置から受信する受信手段を含み、
前記記憶手段は、前記受信手段が前記端末装置からトレイ名変換テーブルを受信したことに応答して、当該トレイ名変換テーブルを記憶するための手段を含む、請求項１に記載の印刷出力装置。
【発明の詳細な説明】
【技術分野】
【０００１】
本発明は、印刷出力装置に関し、特に、他の装置から受信した印刷ジョブに応じた所望の給紙トレイから用紙を給紙して印刷する印刷出力装置に関する。
【背景技術】
【０００２】
ＰＣ（Ｐｅｒｓｏｎａｌ  Ｃｏｍｐｕｔｅｒ）及びワークステーション等の上位装置と、プリンタ等の印刷出力装置とを含むネットワークシステムにおいて、上位装置の利用者が印刷出力装置に画像等を印刷させたい場合がある。その場合、通常、上位装置の利用者は印刷出力装置の給紙トレイを指定して、印刷ジョブを上位装置から印刷出力装置に対して送信する。印刷出力装置は、印刷ジョブを受信すると、当該印刷ジョブにおいて指定されている給紙トレイから用紙を給紙して印刷する。
【０００３】
ここで、どの給紙トレイの用紙に印刷させるかを上位装置の利用者毎に指定させるのではなく、印刷出力装置の管理者が管理することが望ましい場合がある。なぜなら、一般の利用者に給紙トレイを自由に指定させると、余計な帳票が大量に印刷されてしまう場合があるからである。そのようなことを放置させておくと、経費節減の弊害になる。また、大量の余計な印刷物が社内の極秘事項に関することであれば、廃棄等の後始末が面倒である。
【０００４】
特許文献１は、プリンタ装置を含むネットワークシステムのための技術を開示している。特許文献１に記載の技術では、プリンタ装置のプリンタドライバは、ネットワークシステム上の利用者毎に、印刷アプリケーションによる指定に関わらず、どの給紙トレイから用紙を給紙して印刷するかを指定することができる。
【０００５】
具体的には、プリンタドライバは、以下のようにして利用者毎に印刷時の給紙トレイを指定する。プリンタ装置の管理者がプリンタドライバの設定を変更するために、ある上位装置からプリンタドライバにアクセスしたものとする。プリンタドライバは、プリンタ装置に設置されている給紙トレイのトレイ名と一般の利用者の利用者名とを列挙した画面を、上位装置の表示装置上に表示する。管理者は、利用者ごとに、列挙されたトレイ名のいずれかを選択する。管理者が給紙トレイを選択すると、プリンタドライバは、選択された給紙トレイを指定された利用者に対応付けて記憶する。
【０００６】
その後、上位装置のある利用者が、プリンタ装置に対して印刷ジョブを送信すると、プリンタ装置は、その印刷ジョブで指定されたトレイがいずれであるかに関わらず、当該利用者に対して予め対応付けられている給紙トレイから用紙を給紙して印刷する。
【０００７】
特許文献１に記載の技術によれば、印刷時、各利用者の希望ではない、管理者が指定する給紙トレイから用紙を給紙して印刷することが可能となる。
【特許文献１】特開２００６‐４４０２８
【発明の開示】
【発明が解決しようとする課題】
【０００８】
特許文献１に記載のプリンタ装置は、管理者がユーザ毎に給紙トレイを指定することができる。しかし、給紙トレイの管理を行なうのであれば、利用者ごとに指定するのではなく、プリンタ装置の性能、印刷対象の画像の性質、並びに一般の利用者が所属する部署及び役職等に適した給紙トレイを指定することが望ましい。しかし、特許文献１に記載の技術では、それらの情報を考慮して、管理者が給紙トレイの管理を行なうことはできない。
【０００９】
したがって、本発明の目的は、どのような上位装置から印刷ジョブが出力されても、様々な状況に応じて、管理者にとって所望の給紙トレイから用紙を給紙して印刷するための印刷出力装置を提供することである。
【課題を解決するための手段】
【００１０】
本発明の第１の局面に係る印刷出力装置は、他の装置から印刷ジョブを受信して、複数個の給紙トレイのいずれかから取出した用紙に画像を印刷する印刷出力装置である。印刷ジョブは、複数個の給紙トレイのいずれかを指定する給紙トレイ指定命令を含む。印刷出力装置は、印刷ジョブを受信したことに応答して、当該印刷ジョブに含まれる給紙トレイ指定命令により指定される給紙トレイ名を、複数個の給紙トレイのいずれかを示す変換後トレイ名に変換するための給紙トレイ名変換手段と、複数個の給紙トレイの中から、変換後トレイ名に対応する給紙トレイを使用して、印刷ジョブに含まれる印刷対象の画像生成データに基づいて形成された画像を印刷するための画像形成手段とを含む。給紙トレイ名変換手段は、印刷ジョブに含まれる給紙トレイ指定命令により指定される給紙トレイ名と、複数個の給紙トレイのうち、当該指定される給紙トレイ名に対して予め設定される所望の給紙トレイ名とを対応付けて記憶するためのトレイ名変換テーブルを記憶するための記憶手段と、印刷ジョブを受信したことに応答して、当該給紙トレイ指定命令により指定される給紙トレイ名に対応する所望の給紙トレイ名をトレイ名変換テーブルから読出し、変換後トレイ名として出力するためのテーブル読出し手段とを含む。
【００１１】
給紙トレイ名変換手段は、給紙トレイ指定命令により指定される給紙トレイ名を、複数個の給紙トレイのいずれかを示す変換後トレイ名に変換し、画像形成手段は、変換後給紙トレイ名に対応する給紙トレイを使用して印刷する。記憶手段は、給紙トレイ指定命令により指定されている給紙トレイ名と、そのトレイ名に対して予め設定される所望の給紙トレイ名とを対応付けて記憶するためのトレイ名変換テーブルを記憶し、テーブル読出し手段は、給紙トレイ変換テーブルを用いて、変換後トレイ名を出力する。変換後トレイ名が、印刷ジョブに対して所望の給紙トレイのトレイ名であるならば、印刷出力装置は、印刷ジョブにとって適切な用紙で印刷することができる。印刷出力装置は、利用者によって指定された給紙トレイから印刷させないようにすることができるので、利用者による身勝手な使用を防止することができ、印刷出力装置の管理者は、給紙トレイの管理をしやすくなる。その結果、どのような上位装置から印刷ジョブが出力されても、様々な状況に応じて、管理者にとって所望の給紙トレイから用紙を給紙して印刷するための印刷出力装置を提供することができる。
【００１２】
好ましくは、トレイ名変換テーブルは、印刷ジョブの種類ごとに設けられている。テーブル読出し手段は、印刷ジョブを受信したことに応答して、当該印刷ジョブの属性を解析し、当該印刷ジョブの種類を判別するための判別手段と、判別手段によって判別された種類に対して設けられているトレイ名変換テーブルから、受信された印刷ジョブの給紙トレイ特定命令により指定される給紙トレイ名に対応する所望の給紙トレイ名を読出し、変換後トレイ名として出力するための手段とを含む。
【００１３】
トレイ名変換テーブルは、印刷ジョブの種類ごとに設けられており、テーブル読出し手段は、印刷ジョブの種類ごとに、所望の給紙トレイから用紙を給紙して印刷する。したがって、印刷出力装置は、印刷ジョブの異なる種類に応じた所望の給紙トレイから印刷することが可能となり、様々な印刷ジョブの種類に対応できる。
【００１４】
より好ましくは、印刷出力装置はさらに、利用者に印刷ジョブの属性のいずれかを選択させるための選択手段を含む。判別手段は、印刷ジョブを受信したことに応答して、当該印刷ジョブの属性のうち選択手段により選択された属性の値から、印刷ジョブの種類を判別するための手段を含む。
【００１５】
選択手段は、利用者に印刷ジョブの属性のいずれかを選択させ、判別するための手段は、利用者によって選択された属性で、印刷ジョブの種類を判別する。したがって、印刷出力装置は、利用者の使用環境に応じて印刷ジョブの種類の判別を行なうことが可能である。
【００１６】
より好ましくは、トレイ名変換テーブルは、印刷ジョブに含まれる給紙トレイ指定命令により指定されるある給紙トレイ名に対して、複数個の給紙トレイのいずれも対応付けずに記憶している場合がある。テーブル読出し手段は、印刷ジョブを受信したことに応答して、当該印刷ジョブに含まれる給紙トレイ指定命令により指定される給紙トレイ名に対応する所望の給紙トレイ名が、トレイ名変換テーブルに記憶されているか否かに応じて、当該給紙トレイ指定命令により指定される給紙トレイ名に対応する所望の給紙トレイ名と、当該給紙トレイ指定命令により指定される給紙トレイ名とを変換後トレイ名として選択的に出力するための手段を含む。
【００１７】
出力するための手段は、給紙トレイ指定命令において特定されている給紙トレイ名に対応する所望の給紙トレイ名が、トレイ名変換テーブルに記憶されているか否かに応じて、給紙トレイ指定命令において指定されている給紙トレイ名を変換後トレイ名として出力する。したがって、給紙トレイ指定命令によって指定されている給紙トレイ名から所望の給紙トレイ名への不要な変換を防止することができる。
【００１８】
さらに好ましくは、トレイ名変換テーブルは、印刷ジョブに含まれる給紙トレイ指定命令により指定されるある給紙トレイ名に対して、当該印刷ジョブに含まれる画像生成用情報に適切な給紙トレイを自動で検索することを指示するための自動給紙指示を対応付けて記憶している場合がある。テーブル読出し手段は、印刷ジョブを受信したことに応答して、当該印刷ジョブに含まれる給紙トレイ指定命令により指定される給紙トレイ名に対応するものが自動給紙指示でないか否かに応じて、トレイ名変換テーブルにおいて当該給紙トレイ指定命令により指定される給紙トレイ名に対応する所望の給紙トレイ名を変換後トレイ名として出力するか、又は、当該印刷ジョブに含まれる画像生成用情報に対し適切な給紙トレイを複数個の給紙トレイから検索し、検索した給紙トレイのトレイ名を変換後トレイ名として出力するための手段を含む。
【００１９】
出力するための手段は、印刷対象となる画像データにとって適切な用紙を給紙する給紙トレイを自動的に検索して、印刷可能な状態にする場合があるため、画像データにとって適切な用紙サイズ及び用紙タイプ等で印刷することが可能となる。
【００２０】
さらに好ましくは、印刷ジョブに含まれる給紙トレイ指定命令は、当該印刷ジョブに含まれる画像生成用情報に適切な給紙トレイを自動で検索させるための自動給紙命令である場合がある。トレイ名変換テーブルはさらに、印刷ジョブに含まれる自動給紙命令と、複数個の給紙トレイのうち、当該自動給紙命令に対して予め設定される所望の給紙トレイ名とを対応付けて記憶している。テーブル読出し手段は、印刷ジョブを受信したことに応答して、当該印刷ジョブに含まれる給紙トレイ指定命令が自動給紙命令であるか否かに応じて、トレイ名変換テーブルにおいて当該自動給紙命令に対応する所望の給紙トレイ名と、当該印刷ジョブに含まれる給紙トレイ指定命令により指定される給紙トレイ名に対応する所望の給紙トレイ名とを変換後トレイ名として選択的に出力するための手段を含む。
【００２１】
印刷ジョブに含まれる給紙トレイ指定命令は、給紙トレイを自動で検索させるための自動検索命令を含み、出力するための手段は、当該自動検索命令に対応付けられている所望の給紙トレイ名を変換後トレイ名として出力する場合がある。印刷出力装置は、変換後トレイ名に対応する給紙トレイから用紙を給紙して印刷する。したがって、印刷出力装置は、自動給紙命令を含む印刷ジョブを受信したとしても、当該印刷ジョブにとって適切な給紙トレイで印刷することができる。
【００２２】
さらに好ましくは、印刷出力装置は、サーバ装置に接続されて用いられるものである。印刷出力装置はさらに、サーバ装置と通信可能であり、印刷ジョブに含まれる給紙トレイ指定命令により指定される給紙トレイ名と、複数個の給紙トレイのうち、当該指定される給紙トレイ名に対して予め設定される所望の給紙トレイ名とを対応付けて記憶するためのトレイ名変換テーブルを、サーバ装置から受信する受信手段を含む。記憶手段は、受信手段がサーバ装置からトレイ名変換テーブルを受信したことに応答して、当該トレイ名変換テーブルを記憶するための手段を含む。
【００２３】
印刷出力装置は、サーバ装置に接続されており、受信手段は、トレイ名変換テーブルをサーバ装置から受信する。記憶手段は、受信手段によって受信されたトレイ名変換テーブルを記憶する。印刷出力装置の管理者が、印刷出力装置を直接に操作して、記憶手段に記憶されているトレイ名変換テーブルを管理することが困難であり、かつ、サーバ装置を利用する方が好都合である場合、管理者は通信装置を介してトレイ名変換テーブルを印刷出力装置に記憶させることができる。したがって、印刷出力装置の管理者は、印刷出力装置を直接に操作することなしに、サーバ装置を介して印刷出力装置のトレイ名変換テーブルを管理することができる。
【００２４】
さらに好ましくは、印刷出力装置は、端末装置に接続されて用いられるものである。印刷出力装置はさらに、端末装置と通信可能であり、印刷ジョブに含まれる給紙トレイ指定命令により指定される給紙トレイ名と、複数個の給紙トレイのうち、当該指定される給紙トレイ名に対して予め設定される所望の給紙トレイ名とを対応付けて記憶するためのトレイ名変換テーブルを、端末装置から受信する受信手段を含む。記憶手段は、受信手段が端末装置からトレイ名変換テーブルを受信したことに応答して、当該トレイ名変換テーブルを記憶するための手段を含む。
【００２５】
受信手段は、端末装置からトレイ名変換テーブルを受信し、記憶手段は、受信したトレイ名変換テーブルを記憶する。印刷出力装置の管理者が、普段、端末装置を利用している場合、印刷出力装置を直接に操作することなしに、端末装置を介して印刷出力装置のトレイ名変換テーブルを管理することができる。
【発明を実施するための最良の形態】
【００２６】
以下、本発明の実施の形態について、添付図面に基づき詳細に説明する。なお、以下の説明では、同一の部品には同一の参照番号を付してある。それらの機能及び名称も同一である。したがって、それらについての詳細な説明は繰返さない。
【００２７】
［ネットワーク環境］
図１は本発明の実施の形態に係る印刷出力装置４０を含むネットワークシステム３０のネットワーク環境を示す図である。図１を参照して、ネットワークシステム３０は、ネットワーク回線３４と、ネットワーク回線３４に接続されたＰＣ及びワークステーション等である上位装置３２Ａ、３２Ｂ、３２Ｃ、３２Ｄ、３２Ｅ、及び３２Ｆ等と、ネットワーク回線３４に接続されているプリンタであって、上位装置３２Ａ等から印刷ジョブを受けたことに応答して、当該印刷ジョブに応じた所望の給紙トレイから用紙を給紙して印刷処理を行なう印刷出力装置４０と、ネットワーク回線３４に接続されているサーバ装置３６とを含む。
【００２８】
以後、上位装置３２Ａ、３２Ｂ、３２Ｃ、３２Ｄ、３２Ｅ、及び３２Ｆ等を代表して単に上位装置３２と呼ぶことがある。
【００２９】
上位装置３２はネットワークシステム３０上において分散配置されており、異機種が混在しているものとする。また、上位装置３２の各々の内部メモリには、当該上位装置のホスト名、ＩＰ（Ｉｎｔｅｒｎｅｔ  Ｐｒｏｔｏｃｏｌ）アドレス、及び当該上位装置の利用者のユーザ名等の属性情報が記憶されている。
【００３０】
ネットワーク回線３４を介して、上位装置３２から印刷出力装置４０に送信される印刷ジョブには、当該印刷ジョブの送信元の上位装置３２のホスト名、及びネットワークシステム３０上において上位装置３２が属するワークグループ名等を示すデータが格納されている。本発明において、印刷ジョブに含まれる、そのような各種情報を、「印刷ジョブの属性」と呼ぶ。本実施の形態における印刷ジョブの属性の詳細については、後述する。
【００３１】
印刷ジョブには、上記した印刷ジョブの属性と、印刷対象となる複数のページの分の画像生成用情報と、上位装置３２の利用者によって指定された、印刷出力装置４０の給紙トレイ名とを含む。
【００３２】
サーバ装置３６は、サーバ装置３６の管理者の指示に応答して、印刷出力装置４０に記憶されているデータを更新するための「データ更新命令」を印刷出力装置４０に送信する。データ更新命令の詳細については後述する。
【００３３】
［機能的構成］
図２は、本実施の形態に係る印刷出力装置４０の機能ブロック図である。図２を参照して、印刷出力装置４０は、各々、用紙サイズ及び用紙タイプ等が異なる用紙を大量に収納可能な第１〜第４の給紙トレイ６８Ａ、６８Ｂ、６８Ｃ、及び６８Ｄ等と、第１の給紙トレイ６８Ａ等から用紙を給紙する用紙給紙部７２と、用紙給紙部７２によって給紙された用紙に印刷対象の画像を形成するプリント部７４と、プリント部７４によって画像が形成された用紙を排出する用紙排出部７６とを含む。
【００３４】
印刷出力装置４０はさらに、利用者が印刷出力装置４０を直接に操作する際に使用され、図示しない表示部及び操作部からなる操作パネルである操作パネル制御部６４と、ネットワーク回線３４を介して上位装置３２及びサーバ装置３６との間で通信を行なう通信制御部６６と、種々の情報を記憶する記憶部６２と、記憶部６２に記憶されている情報をメンテナンスするためのメンテナンス部８６とを含む。
【００３５】
印刷出力装置４０はさらに、用紙給紙部７２、プリント部７４、用紙排出部７６、操作パネル制御部６４、通信制御部６６、メンテナンス部８６、及び記憶部６２が接続されたバス７０と、バス７０に接続された、プリンタとしての一般的機能を実現するための制御部６０とを含む。
【００３６】
制御部６０は、印刷出力装置４０の全体の制御を司るものであって、ＣＰＵ（Ｃｅｎｔｒａｌ  Ｐｒｏｃｅｓｓｉｎｇ  Ｕｎｉｔ）等から構成されている。
【００３７】
なお、用紙給紙部７２、プリント部７４、用紙排出部７６、操作パネル制御部６４、通信制御部６６、メンテナンス部８６、及び記憶部６２に対する制御は、制御部６０により行なわれる。
【００３８】
通信制御部６６は、ネットワーク回線３４にインターフェイスをとっている図示しないＮＩＣ（Ｎｅｔｗｏｒｋ  Ｉｎｔｅｒｆａｃｅ  Ｃａｒｄ）、及びバス７０に接続され、ＮＩＣの動作を制御するための、図示しない通信コントローラを含む。
【００３９】
記憶部６２は、印刷ジョブから解析される印刷ジョブの属性の値を一時的に記憶するためのジョブ属性記憶部８２と、印刷ジョブの属性の名前を記憶するための属性種類記憶部８４と、印刷ジョブにおいて指定されている給紙トレイを、給紙トレイ６８等のうち所望の給紙トレイに関連付ける変換テーブルを記憶するための第１〜第４の給紙トレイ変換テーブル８０Ａ、８０Ｂ、８０Ｃ、及び８０Ｄ等と、以下に述べる「印刷ジョブの種類」ごとに給紙トレイ変換テーブル８０Ａ等を関連付ける変換テーブルを記憶するための第１〜第４のジョブ属性変換テーブル７８Ａ、７８Ｂ、７８Ｃ、及び７８Ｄ等とを含む。
【００４０】
印刷ジョブの種類とは、簡単に説明すると、ホスト名及びワークグループ等の印刷ジョブの属性によって分類されるものである。
【００４１】
例えば、印刷ジョブの種類を、ホスト名によって分類させるものとすると、印刷ジョブに含まれるホスト名が異なれば、印刷ジョブの種類は異なるということになる。また、印刷ジョブの種類を、ワークグループによって分類させるものとすると、印刷ジョブに含まれるワークグループが異なれば、印刷ジョブの種類は異なるということになる。
【００４２】
本実施の形態において、どの属性で印刷ジョブの種類を分類するかは、ネットワークシステム３０の利用者によって決定され得るものとする。
【００４３】
図３は、制御部６０の構成を示す図である。図３を参照して、制御部６０は、バス７０を介して通信制御部６６から、上位装置３２からの印刷ジョブを受けて、受けた印刷ジョブの属性を解析してジョブ属性記憶部８２に記憶するジョブ情報解析部１００と、バス７０を介して、どの印刷ジョブの属性で印刷ジョブの種類を判別するかを利用者に指定させるための画面を操作パネル制御部６４に表示し、印刷出力装置４０の管理者に指定させ、指定された印刷ジョブの属性の名前を属性種類記憶部８４に記憶するための設定処理部１０８とを含む。制御部６０はさらに、ジョブ属性記憶部８２に記憶されている印刷ジョブの属性の値を参照して、属性種類記憶部８４に記憶された印刷ジョブの属性で印刷ジョブの種類を判別するためのジョブ種類判別処理部１０２と、ジョブ属性変換テーブル７８を参照して、ジョブ種類判別処理部１０２によって判別された印刷ジョブの種類に関連する給紙トレイ変換テーブル８０を抽出し、抽出した給紙トレイ変換テーブル８０を参照して、印刷ジョブで指定されている給紙トレイに対応する所望の給紙トレイから用紙を給紙するように用紙給紙部７２に指示する給紙トレイ処理部１０４とを含む。制御部６０はさらに、給紙トレイ処理部１０４の指示にしたがって用紙給紙部７２が給紙した用紙に、印刷ジョブに含まれる印刷対象の画像生成データに基づいて画像データを形成し、プリント部７４に与えた印刷させる画像形成部１０６とを含む。
【００４４】
上記した印刷ジョブに含まれる、利用者によって指定される給紙トレイとは、第１〜第４の給紙トレイ６８Ａ〜６８Ｄ、その他の給紙トレイ、及び「自動給紙」のいずれかであるものとする。
【００４５】
「自動給紙」とは、印刷対象の画像に合致する用紙サイズ及び用紙タイプである用紙を第１〜第４の給紙トレイ６８Ａ〜６８Ｄから自動的に検索することを印刷出力装置４０に要求することである。
【００４６】
［印刷ジョブの属性］
図４は、本実施の形態における印刷ジョブの属性の詳細について説明するための図である。図４を参照して、本実施の形態における印刷ジョブの属性は、当該印刷ジョブの送信元の上位装置３２のホスト名及びＩＰアドレス、当該上位装置３２の利用者の名前であるユーザ名、ネットワーク回線３４上において上位装置３２が属するワークグループのグループ名、ネットワーク回線３４上において当該印刷ジョブを一意に識別するためのジョブ名、プリンタドライバ名、両面及び片面のいずれで印刷させるかを示す情報、ステープル、並びにパンチを含む。
【００４７】
なお、上述した印刷ジョブの種類は、ホスト名、ＩＰアドレス、ユーザ名、グループ名、ジョブ名、プリンタドライバ名、両面及び片面のいずれで印刷させるかを示す情報、ステープル、及びパンチの各々によって、分類されるものとする。
【００４８】
［テーブルの構成］
図５（Ａ）は、第１の給紙トレイ変換テーブル８０Ａの構成を示す図である。図５（Ａ）を参照して、第１の給紙トレイ変換テーブル８０Ａの各レコードは、印刷ジョブに含まれる、上位装置３２の利用者によって指定された給紙トレイの名前を記憶するための指定給紙トレイフィールドと、指定給紙トレイフィールドの値に対して、上記した給紙トレイ処理部１０４によって実際に給紙するように用紙給紙部７２に指示される給紙トレイを記憶するための実給紙トレイフィールドとを含む。
【００４９】
図５（Ｂ）は、第２の給紙トレイ変換テーブル８０Ｂの構成の一例を示す図である。図５（Ｂ）を参照して、給紙トレイ変換テーブル８０Ｂの構成は、給紙トレイ変換テーブル８０Ａの構成と同様である。第３の給紙トレイ変換テーブル８０Ｃ及び第４の給紙トレイ変換テーブル８０Ｄ等も、第１の給紙トレイ変換テーブル８０Ａの構成と同様である。
【００５０】
第１〜第４の給紙トレイ変換テーブル８０Ａ〜８０Ｄの実給紙トレイフィールドには、第１〜第４の給紙トレイ６８Ａ〜６８Ｄのいずれかの名前、「自動給紙」、及び「（設定なし）」が記憶される。
【００５１】
ここで、実給紙トレイフィールドに「（設定なし）」が記憶されているレコードは、当該レコードの指定給紙トレイフィールドの給紙トレイからそのまま用紙を給紙することを意味する。
【００５２】
なお、第１〜第４の給紙トレイ変換テーブル８０Ａ〜８０Ｄの各レコードの値は、印刷出力装置４０の管理者によって予め設定されているものとする。
【００５３】
図６は、印刷ジョブの種類をＩＰアドレスで分類する場合において、ＩＰアドレス毎に第１〜第４の給紙トレイ変換テーブル８０Ａ〜８０Ｄ等を関連付ける第１のジョブ属性変換テーブル７８Ａの構成を示す図である。図６を参照して、第１のジョブ属性変換テーブル７８Ａの各レコードは、ＩＰアドレスを記憶するための種類名フィールドと、種類名フィールドの各値に対して、給紙トレイ変換テーブル８０の名前を記憶するための給紙トレイ変換テーブルフィールドとを含む。
【００５４】
なお、第１のジョブ属性変換テーブル７８Ａの種類名フィールドは、印刷ジョブの種類の具体的な名前を格納するためのものである。したがって、図示しないが、第１のジョブ属性変換テーブル７８Ａの他にも、ＩＰアドレスの代わりに、他の属性に対応するジョブ属性変換テーブル７８が存在する。例えば、ＩＰアドレスの代わりに、ホスト名、ワークグループ名、ユーザ名、及びプリンタドライバ名等を記憶するための種類名フィールドを含むジョブ属性変換テーブル７８が存在する。
【００５５】
給紙トレイ変換テーブルフィールドには、給紙トレイ変換テーブル８０のいずれかの名前と、「（設定なし）」とが記憶される。
【００５６】
ここで、給紙トレイ変換テーブルフィールドに「（設定なし）」が記憶されているレコードは、印刷ジョブにおいて指定されている給紙トレイからそのまま用紙を給紙することを意味する。
【００５７】
図５及び図６から、給紙トレイ変換テーブル８０は、印刷ジョブの種類ごとに関連付けられていることになる。
【００５８】
本発明において、異なる印刷ジョブの種類に対して、同一の給紙トレイ変換テーブル８０を関連付けても良い。例えば、ジョブ属性変換テーブル７８において、１行目及び３行目の各レコードは、印刷ジョブの種類は異なるが、関連付けられている給紙トレイ変換テーブル８０は同じである。
【００５９】
上述した、サーバ装置３６が印刷出力装置４０に送信する「データ更新命令」は、記憶部６２に記憶されている給紙トレイ変換テーブル及びジョブ属性変換テーブルを更新するためのものである。具体的には、データ更新命令には、印刷ジョブの種類名と、当該印刷ジョブの種類名に関連付けられる、第１〜第４の給紙トレイ変換テーブル８０Ａ〜８０Ｄ等と同様の構成である給紙トレイ変換テーブルとが含まれる。データ更新命令は、サーバ装置３６の管理者によって作成されるものである。
【００６０】
印刷出力装置４０に含まれる、上述したメンテナンス部８６は、ネットワーク回線３４及び通信制御部６６を介してサーバ装置３６からデータ更新命令を受信したとき、当該命令にしたがって、第１〜第４の給紙トレイ変換テーブル８０Ａ〜８０Ｄ等のいずれかを更新し、当該命令に含まれる給紙トレイ変換テーブルを記憶部６２に追加する処理を行なう。
【００６１】
［ソフトウェア構成］
図７〜図９は、印刷出力装置４０が起動されたときに、制御部６０で実行されるプログラムの制御構造を示すフローチャートである。図７を参照して、このプログラムは、ネットワーク回線３４を介して上位装置３２から印刷ジョブを受信するまで待機するステップ１５０と、ステップ１５０において印刷ジョブを受信した場合、受信した印刷ジョブから印刷ジョブの属性を解析して、解析した内容をジョブ属性記憶部８２に記憶するステップ１５２と、ステップ１５２の後、ジョブ属性記憶部８２に記憶されている値を参照して、属性種類記憶部８４に記憶されている印刷ジョブの属性名で、印刷ジョブの種類を判別し、印刷ジョブに含まれる印刷対象の画像の最初のページを参照するステップ１５４とを含む。
【００６２】
なお、上記のステップ１５４において、印刷ジョブの種類を判別するとは、具体的には、受信した印刷ジョブから印刷ジョブの種類の具体的な名前を取出すということである。例えば、属性種類記憶部８４に記憶されているものが「ＩＰアドレス」であるとすると、印刷ジョブの種類を判別するとは、印刷ジョブの属性の値からＩＰアドレスの具体的な名前を取出すということである。
【００６３】
このプログラムはさらに、ステップ１５４の後、受信した印刷ジョブにおいて、給紙トレイが指定されているか否かを判定し、判定結果に応じて制御の流れを分岐させるステップ１５６と、ステップ１５６の判定結果がＹＥＳの場合、印刷ジョブにおいて指定された給紙トレイを特定するステップ１５８と、ステップ１５８の後、ジョブ属性変換テーブル７８において、ステップ１５４において判別された種類名に対応する給紙トレイ変換テーブルの名前が格納されているか否かを判定し、判定結果に応じて制御の流れを分岐させるステップ１６０と、ステップ１６０の判定結果がＹＥＳの場合に、ステップ１６０において見つけられた給紙トレイ変換テーブルにおいて、印刷ジョブで指定されている給紙トレイに対応する実給紙トレイフィールドの値を抽出するステップ１６２とを含む。
【００６４】
図８を参照して、このプログラムはさらに、図７に示すステップ１５６の判定結果がＮＯの場合に、印刷ジョブに含まれる印刷対象の画像において、現在参照しているページが最初のページであるか否かを判定し、判定結果に応じて制御の流れを分岐させるステップ１９０と、ステップ１９０の判定結果がＮＯの場合に、印刷ジョブに含まれる印刷対象の画像において、前に参照したページの画像を印刷したときと同じ給紙トレイ６８を選択するステップ１９２と、ステップ１９０の判定結果がＹＥＳの場合に、印刷対象の画像に合致する用紙サイズ及び用紙タイプである用紙を第１〜第４の給紙トレイ６８Ａ〜６８Ｄから自動的に検索して選択するステップ１９４とを含む。
【００６５】
図９を参照して、このプログラムはさらに、図７に示すステップ１６２の後、ステップ１６２において抽出した実給紙トレイフィールドの値が「（設定なし）」であるか否かを判定し、判定結果に応じて制御の流れを分岐させるステップ２２０と、ステップ２２０の判定結果がＮＯの場合に、ステップ１６２において抽出した実給紙トレイフィールドの値が「自動給紙」であるか否かを判定し、判定結果に応じて制御の流れを分岐させるステップ２２２とを含む。このプログラムはさらに、ステップ２２２の判定結果がＮＯの場合に、ステップ１６２において抽出した実給紙トレイフィールドに記憶されている給紙トレイを選択するステップ２２４と、ステップ２２２の判定結果がＹＥＳの場合に、印刷対象の画像に合致する用紙サイズ及び用紙タイプである用紙を第１〜第４の給紙トレイ６８Ａ〜６８Ｄから自動的に検索して選択するステップ１９４Ａとを含む。このプログラムはさらに、ステップ２２０の判定結果がＹＥＳ、又は図７に示すステップ１６０の判定結果がＮＯの場合に実行され、これまでの処理で特定されている給紙トレイをそのまま選択するステップ２２８を含む。
【００６６】
図７に示すステップ１６０において、判定結果がＮＯであるとは、ジョブ属性変換テーブル７８の給紙トレイ変換テーブルフィールドに「（設定なし）」が格納されているか、又は、設定情報が何も格納されていないことである。
【００６７】
このプログラムはさらに、ステップ２２４、ステップ１９４Ａ、ステップ２２８、図８に示すステップ１９２、又はステップ１９４の後にそれぞれ実行され、各ステップにおいて選択された給紙トレイから用紙を給紙して、印刷対象の画像のうち現在参照しているページの画像を印刷するステップ２３０と、ステップ２３０の後、印刷対象の画像のうち、現在参照しているページが最後のページであるか否かを判定し判定結果に応じて制御の流れを分岐させるステップ２３２とを含む。このプログラムはさらに、ステップ２３２の判定結果がＮＯの場合に、印刷ジョブに含まれる次のページの画像生成用情報を参照し、図７に示すステップ１５６に制御を戻すステップ２３４とを含む。
【００６８】
なお、ステップ２３２の判定結果がＹＥＳの場合、制御は図７に示すステップ１５０に戻る。
【００６９】
図１０は、印刷出力装置４０が起動されたときに、操作パネル制御部６４で実行されるプログラムの制御構造を示すフローチャートである。図１０を参照して、このプログラムは、印刷ジョブの属性名を管理者に指定させるための画面を操作パネル制御部６４に表示するステップ２５０と、管理者から属性が指定されるまで待機するステップ２５２と、ステップ２５２において属性が指定された場合に、指定された属性名を属性種類記憶部８４に記憶し、制御をステップ２５０に戻すステップ２５４とを含む。
【００７０】
図１１は、印刷出力装置４０が起動されたときに、メンテナンス部８６で実行されるプログラムの制御構造を示すフローチャートである。図１１を参照して、このプログラムは、サーバ装置３６からデータ更新命令を受信するまで待機するステップ２７０と、ステップ２７０においてデータ更新命令を受信した場合、第１〜第４のジョブ属性変換テーブル７８Ａ〜７８Ｄ等のうち、種類名フィールドが、データ更新命令に含まれる種類名に対応するジョブ属性変換テーブルを検索するステップ２７２とを含む。このプログラムはさらに、ステップ２７２の後、ステップ２７２において検索したジョブ属性変換テーブルに、データ更新命令に含まれる種類名と給紙トレイ変換テーブルの名前とを対応付けるレコードを追加するステップ２７４と、ステップ２７４の後、データ更新命令に含まれる給紙トレイ変換テーブルを記憶部６２に追加し、制御をステップ２７０に戻すステップ２７６とを含む。
【００７１】
［動作］
図１〜図１０を参照して、上記した構成を持つ本実施の形態に係る印刷出力装置４０は以下のように動作する。なお、これに先立ち、第１のジョブ属性変換テーブル７８Ａには、図６に示すような情報が予め記憶されているものとする。
【００７２】
印刷出力装置４０の管理者が、印刷出力装置４０を起動させたものとする。
【００７３】
起動後、操作パネル制御部６４は、印刷ジョブの属性名を管理者に指定させるための画面を操作パネル制御部６４の表示部に表示する（図１０に示すステップ２５０）。操作パネル制御部６４は、当該画面において管理者が属性名を指定するまで待機する（図１０に示すステップ２５２）。
【００７４】
管理者が、操作パネル制御部６４に対して、ある属性名を指定したものとする。
【００７５】
操作パネル制御部６４は、指定された属性名を属性種類記憶部８４に記憶して、制御をステップ２５０に戻す。
【００７６】
以下、印刷出力装置４０は、属性種類記憶部８４に記憶されている属性名によって、印刷ジョブの種類を判別する。
【００７７】
印刷出力装置４０の起動後、印刷出力装置４０のメンテナンス部８６は、サーバ装置３６からデータ更新命令を受信するまで待機する（図１１に示すステップ２７０）。
【００７８】
サーバ装置３６の管理者が、サーバ装置３６から印刷出力装置４０にデータ更新命令を送信したものとする。
【００７９】
メンテナンス部８６が、当該データ更新命令を受信すると（図１１に示すステップ２７０においてＹＥＳ）、第１〜第４のジョブ属性変換テーブル７８Ａ〜７８Ｄ等から、種類名フィールドが、データ更新命令に含まれる印刷ジョブの種類名に対応するジョブ属性変換テーブルを検索する（図１１に示すステップ２７４）。メンテナンス部８６は、検索したジョブ属性変換テーブルに、データ更新命令に含まれる種類名と給紙トレイ変換テーブルとを対応付けるレコードを追加し（図１１に示すステップ２７４）、データ更新命令に含まれる給紙トレイ変換テーブルを記憶部６２に記憶する（図１１に示すステップ２７６）。
【００８０】
メンテナンス部８６は、サーバ装置３６からデータ更新命令を受信するたびに、上記した処理を行なう。
【００８１】
上記したメンテナンス部８６による動作によって、図５（Ａ）に示すような第１の給紙トレイ変換テーブル８０Ａが記憶部６２に記憶されたものとする。
【００８２】
印刷出力装置４０の起動後、印刷出力装置４０は、上位装置３２から印刷ジョブを受信するまで待機する（図７に示すステップ１５０）。
【００８３】
上位装置３２Ａの利用者が、印刷出力装置４０に対して、印刷ジョブを上位装置３２Ａから送信したものとする。
【００８４】
印刷出力装置４０は、上位装置３２Ａからの印刷ジョブを受信すると（図７に示すステップ１５０においてＹＥＳ）、受信した印刷ジョブから印刷ジョブの属性を解析して、ジョブ属性記憶部８２に記憶する（図７に示すステップ１５２）。印刷出力装置４０は、解析した印刷ジョブの属性から印刷ジョブの種類を判別し、印刷ジョブに含まれる印刷対象の画像の最初のページを参照する（図７に示すステップ１５４）。印刷出力装置４０は、印刷ジョブにおいて指定されている給紙トレイを特定する（図７に示すステップ１５８）。
【００８５】
以下、ステップ１５８の後、ジョブ属性変換テーブルにおいて、印刷ジョブの種類に対応する給紙トレイ変換テーブルがない場合（図７に示すステップ１６０においてＮＯ）の動作について説明する。
【００８６】
その場合、印刷出力装置４０は、ステップ１５８において特定された給紙トレイをそのまま選択する（図９に示すステップ２２８）。印刷出力装置４０は、選択した給紙トレイから用紙を給紙して、印刷対象の画像のうち現在参照しているページの画像を印刷し（図９に示すステップ２３０）、その他のページの画像について同様の印刷処理を繰返す。全ページの画像について印刷処理を終了すると、印刷出力装置４０は、制御をステップ１５０に戻す。
【００８７】
以下、上記したステップ１５８の後、ジョブ属性変換テーブルにおいて、印刷ジョブの種類に対応する給紙トレイ変換テーブルが存在し（図７に示すステップ１６０においてＹＥＳ）、かつ、その給紙トレイ変換テーブルにおいて、印刷ジョブで指定されている給紙トレイに対応する給紙トレイが存在する場合の動作について説明する。
【００８８】
その場合、印刷出力装置４０は、印刷ジョブで指定されている給紙トレイに対応する給紙トレイ名を抽出して（図７に示すステップ１６２）、当該給紙トレイを選択する（図９に示すステップ２２４）。印刷出力装置４０は、選択した給紙トレイから用紙を給紙して印刷し（図９に示すステップ２３０）、その他のページの画像について同様の印刷処理を繰返す。全ページの画像について印刷処理を終了すると、印刷出力装置４０は、制御をステップ１５０に戻す。
【００８９】
以下、上記したステップ１５８の後、ジョブ属性変換テーブルにおいて、印刷ジョブの種類に対応する給紙トレイ変換テーブルが存在し（図７に示すステップ１６０においてＹＥＳ）、かつ、その給紙トレイ変換テーブルにおいて、印刷ジョブで指定されている給紙トレイに「自動給紙」が対応している場合の動作について説明する。
【００９０】
その場合、印刷出力装置４０は、給紙トレイ変換フィールドから、印刷ジョブで指定されている給紙トレイフィールドから「自動給紙」を抽出する（図７に示すステップ１６２）。印刷出力装置４０は、印刷対象の画像に合致する用紙サイズ及び用紙タイプである用紙を、第１〜第４の給紙トレイ６８Ａ〜６８Ｄから自動的に検索して選択する（図９に示すステップ１９４Ａ）。印刷出力装置４０は、選択した給紙トレイから用紙を給紙して印刷し（図９に示すステップ２３０）、その他のページの画像について同様の印刷処理を繰返す。全ページの画像について印刷処理を終了すると、印刷出力装置４０は、制御をステップ１５０に戻す。
【００９１】
以下、上記したステップ１５８の後、ジョブ属性変換テーブルにおいて、印刷ジョブの種類に対応する給紙トレイ変換テーブルが存在し（図７に示すステップ１６０においてＹＥＳ）、かつ、その給紙トレイ変換テーブルにおいて、印刷ジョブで指定されている給紙トレイに「（設定なし）」が対応している場合の動作について説明する。
【００９２】
その場合、印刷出力装置４０は、ステップ１５８において特定された給紙トレイをそのまま選択する（図９に示すステップ２２８）。印刷出力装置４０は、選択した給紙トレイから用紙を給紙して、印刷対象の画像のうち現在参照しているページの画像を印刷し（図９に示すステップ２３０）、その他のページの画像について同様の印刷処理を繰返す。全ページの画像について印刷処理を終了すると、印刷出力装置４０は、制御をステップ１５０に戻す。
【００９３】
なお、上位装置３２から、給紙トレイを指定しない印刷ジョブを受信する場合があるので、その場合の動作について述べる。
【００９４】
印刷出力装置４０がそのような印刷ジョブを受信した場合、上記したステップ１５２及び１５４の処理を行なう。印刷出力装置４０は、現在参照している最初のページの画像に合致する用紙サイズ及び用紙タイプの用紙を第１〜第４の給紙トレイ６８Ａ〜６８Ｄから自動的に検索して選択する（図８に示すステップ１９４）。印刷出力装置４０は、選択した給紙トレイ６８から用紙を給紙して、現在参照しているページの画像を印刷する（図９に示すステップ２３０）。印刷出力装置４０は、２ページ目以降の画像に対して、以下の処理を繰り返す。印刷出力装置４０は、前のページを印刷したときと同じ給紙トレイ６８を選択して（図８に示すステップ１９２）、現在選択している給紙トレイ６８に現在参照しているページの画像を印刷する（図９に示すステップ２３０）。印刷出力装置４０は、全ページの画像について印刷処理が終了すると、制御をステップ１５０に戻す。
【００９５】
以上、本実施の形態に係る印刷出力装置４０を含むネットワークシステム３０の動作を説明した。上記説明と、最初に述べた構成とから、上記以外の場合のネットワークシステム３０の動作は当業者には明らかであろう。
【００９６】
［本実施の形態の効果］
以上の説明から明らかなように、本実施の形態に係る印刷出力装置４０を利用することにより、印刷出力装置４０は、給紙トレイ変換テーブル８０を用いて、印刷ジョブにおいて指定されている給紙トレイを、印刷ジョブの種類に応じて、管理者にとって所望の給紙トレイに変換して印刷することができる。印刷ジョブの種類は、ホスト名、ＩＰアドレス、ワークグループ名、及びプリンタドライバ名等の様々な情報から判別される。したがって、管理者は、利用者毎に限られず、様々な情報を含む印刷ジョブの種類に応じて、利用者毎に給紙トレイをよりきめ細かく割当てることができる。また、管理者は、ネットワークシステム３０上において生じる諸問題に対して柔軟に対応することができるように、給紙トレイの変換を割当てることができ、給紙トレイの管理がやりやすくなる。
【００９７】
また、印刷出力装置４０は、サーバ装置３６から送信されたデータ更新命令にしたがって、第１〜第４のジョブ属性変換テーブル７８Ａ〜７８Ｄ等を更新し、給紙トレイ変換テーブルを記憶部６２に追加する。そのような構成にすることによって、あるネットワークにおいて印刷出力装置４０が新たに接続されたとしても、当該ネットワークの一般の利用者は、各利用者が主に使用している専用ＰＣのプリンタドライバを更新する作業の手間を無くすことができる。
【００９８】
［変形例］
上記した実施の形態では、印刷出力装置４０はプリンタであった。しかし、本発明はそのような実施の形態には限定されない。印刷出力装置４０は、典型的なプリンタの他に、ネットワークシステム上で、ネットワーク回線を介して上位装置から受信した印刷ジョブに含まれる印刷対象の画像を記録用紙に印刷するプリンタ機能を少なくとも備える装置であれば、どのようなものでもよい。例えば、プリンタ、複写機、及びファクシミリとして機能する電子写真方式の複合機である画像形成装置であってもよい。
【００９９】
また、上記した実施の形態では、印刷出力装置４０は、印刷ジョブの属性を択一的に選択させて印刷ジョブの種類を判別していた。しかし、本発明はそのような実施の形態には限定されず、各属性の組合せで印刷ジョブの種類を判別させても良い。それを実現するためには、ジョブ属性変換テーブルの種類名フィールドを、複数のフィールドにすれば良い。例えば、ジョブ属性変換テーブルにおいて、種類名フィールドの代わりに、第１の種類名フィールド及び第２の種類名フィールドを設けて、それぞれホスト名及びＩＰアドレスを記憶したり、その他、種々の組合せで複数の種類名フィールドを設けたりしても良い。
【０１００】
さらに、上記した実施の形態では、給紙トレイ変換テーブル及びジョブ属性変換テーブルを更新するためのデータ更新命令は、サーバ装置３６によって送信されていた。しかし、本発明はそのような実施の形態には限定されない。印刷出力装置４０にデータ更新命令を送信する装置は、印刷出力装置４０と通信可能な装置であれば何でも良い。そのような装置は、サーバ装置３６の他に、上位装置３２、又はネットワーク回線３４に接続されている典型的な端末装置であっても良い。
【０１０１】
さらに、上記した実施の形態では、印刷出力装置４０は、サーバ装置３６からデータ更新命令を受信したとき、データ更新命令に含まれる給紙トレイ変換テーブルを記憶部６２に追加していた。しかし、本発明はそのような実施の形態には限定されない。印刷出力装置４０は、給紙トレイ変換テーブルを追加する処理の他に、記憶部６２に記憶されている給紙トレイ変換テーブルを更新する処理を行なっても良い。例えば、印刷出力装置４０は、以下のように給紙トレイ変換テーブルを更新する処理を行なう。
【０１０２】
その処理に先立ち、データ更新命令には、記憶部６２に記憶されているあるジョブ属性変換テーブルの種類名フィールドに記憶されている、印刷ジョブの種類名と、当該種類名に対応する給紙トレイ変換テーブルとを含むものとする。
【０１０３】
サーバ装置３６が、そのようなデータ更新命令を印刷出力装置４０に送信したものとする。
【０１０４】
印刷出力装置４０は、当該データ更新命令を受信すると、記憶部６２に記憶されている全てのジョブ属性変換テーブルから、種類名フィールドが、データ更新命令に含まれる種類名に対応するジョブ属性変換テーブルを検索する。印刷出力装置４０は、検索したジョブ属性変換テーブルを参照して、データ更新命令に含まれる種類名と一致するレコードを検索する。印刷出力装置４０は、検索したレコードの給紙トレイ変換フィールドの値を、データ更新命令に含まれる給紙トレイ変換テーブルの名前で更新する。印刷出力装置４０は、前の給紙トレイ変換テーブルを、データ更新命令に含まれる給紙トレイ変換テーブルに更新する。
【０１０５】
上記したように、印刷出力装置４０が、給紙トレイ変換テーブルを更新することにより、印刷出力装置４０の管理者は、様々な状況に対応できるように給紙トレイ変換テーブルをメンテナンスすることができる。
【０１０６】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０１０７】
【図１】本発明の実施の形態に係る印刷出力装置４０を含むネットワークシステム３０のネットワーク環境を示す図である。
【図２】本発明の実施の形態に係る印刷出力装置４０の機能的構成を示す図である。
【図３】図２に示す制御部６０の機能的構成を示す図である。
【図４】上位装置３２が印刷出力装置４０に送信する印刷ジョブの属性について説明するための図である。
【図５】図２に示す給紙トレイ変換テーブル８０の構成を示す図である。
【図６】図２に示すジョブ属性変換テーブル７８の構成を示す図である。
【図７】図２に示す制御部６０の機能を実現するコンピュータプログラムのフローチャートである。
【図８】図２に示す制御部６０の機能を実現するコンピュータプログラムのフローチャートである。
【図９】図２に示す制御部６０の機能を実現するコンピュータプログラムのフローチャートである。
【図１０】図２に示す操作パネル制御部６４の機能を実現するコンピュータプログラムのフローチャートである。
【図１１】図２に示すメンテナンス部８６の機能を実現するコンピュータプログラムのフローチャートである。
【符号の説明】
【０１０８】
３０  ネットワークシステム
３２Ａ，３２Ｂ，３２Ｃ，３２Ｄ，３２Ｅ，３２Ｆ  上位装置
３６  サーバ装置
４０  印刷出力装置
６０  制御部
６２  記憶部
６４  操作パネル制御部
６６  通信制御部
６８Ａ，６８Ｂ，６８Ｃ，６８Ｄ  給紙トレイ
７２  用紙給紙部
７４  プリント部
７６  用紙排出部
７８Ａ，７８Ｂ，７８Ｃ，７８Ｄ  ジョブ属性変換テーブル
８０Ａ，８０Ｂ，８０Ｃ，８０Ｄ  給紙トレイ変換テーブル
８２  ジョブ属性記憶部
８４  属性種類記憶部
８６  メンテナンス部
１００  ジョブ情報解析部
１０２  ジョブ種類判別処理部
１０４  給紙トレイ処理部
１０６  画像形成部
１０８  設定処理部
【図１】
0005061023.tif 000002
【図２】
0005061023.tif 000003
【図３】
0005061023.tif 000004
【図４】
0005061023.tif 000005
【図５】
0005061023.tif 000006
【図６】
0005061023.tif 000007
【図７】
0005061023.tif 000008
【図８】
0005061023.tif 000009
【図９】
0005061023.tif 000010
【図１０】
0005061023.tif 000011
【図１１】
0005061023.tif 000012